(57)【要約】      （修正有）【課題】数回の回動による着脱の手順を行なうことなく、直ちに組み立てまたは取り外しの作業を迅速に完成することができるゴルフクラブヘッドとその重量配分ユニットを提供する。【解決手段】一個のヘッド本体１および一個の重量配分ユニット２を有する。ヘッド本体１には一個のフェース板１１と一個の結合部１２が設けられる。重量配分ユニット２には一個の急速連結ユニット２１と一個の重量配分部材２２が含まれ、急速連結ユニット２１には一個の嵌接棒２１１が含まれ、嵌接棒２１１の一端には一個の回動部２１２が設けられ、かつもう一端には一個の係止部２１３が設けられ、係止部２１３によってヘッド本体１の結合部１２に固定され、重量配分部材２２は着脱自在に急速連結ユニット２１の嵌接棒２１１に嵌合されるように構成されている。【選択図】図１
0003175185.tif 000002
【実用新案登録請求の範囲】
【請求項１】
一個のヘッド本体（１）および一個の重量配分ユニット（２）を有するゴルフクラブヘッドにおいて、ヘッド本体（１）には一個のフェース板（１１）と一個の結合部（１２）が設けられ、重量配分ユニット（２）には一個の急速連結ユニット（２１）と一個の重量配分部材（２２）が含まれ、急速連結ユニット（２１）には一個の嵌接棒（２１１）が含まれ、嵌接棒（２１１）はその一端に一個の回動部（２１２）が設けられ、かつもう一端には一個の係止部（２１３）が設けられ、係止部（２１３）によってヘッド本体（１）の結合部（１２）に固定され、重量配分部材（２２）は着脱自在に急速連結ユニット（２１）の嵌接棒（２１１）に嵌合されることを特徴とするゴルフクラブヘッド。
【請求項２】
重量配分部材（２２）は一個の通孔（２２１）を有する環状体からなり、重量配分部材（２２）には急速連結ユニット（２１）の嵌接棒（２１１）が貫通するための一個の凹欠部（２２２）が設けられることを特徴とする請求項１に記載のゴルフクラブヘッド。
【請求項３】
急速連結ユニット（２１）の嵌接棒（２１１）が径方向における断面は四辺形の形状で、嵌接棒（２１１）には径方向において二個の相対する短辺（２１１ａ）と二個の相対する長辺（２１１ｂ）が含まれ、凹欠部（２２２）には径方向において一個の開口距離（Ｄ）が含まれ、開口距離（Ｄ）は嵌接棒（２１１）の短辺（２１１ａ）の長さより大きくまたは同じになるように形成され、かつ開口距離（Ｄ）は嵌接棒（２１１）の長辺（２１１ｂ）の長さより小さくなるように形成されることを特徴とする請求項２に記載のゴルフクラブヘッド。
【請求項４】
ヘッド本体（１）の結合部（１２）は一個の凹部（１２１）、凹部（１２１）の中に一個のねじ孔（１２２）が設けられ、重量配分ユニット（２）の係止部（２１３）は結合部（１２）のねじ棒に螺合して固定されることを特徴とする請求項１に記載のゴルフクラブヘッド。
【請求項５】
重量配分部材（２２）は一個の円錐体からなり、重量配分部材（２２）の外周壁には一個の円錐状外周面（２２３）が形成され、ヘッド本体（１）の結合部（１２）に形成される凹部（１２１）には一個の円錐状内周面（１２３）が形成され、重量配分部材（２２）の円錐状外周面（２２３）は結合部（１２）の円錐状内周面（１２３）に緊密に貼接されることを特徴とする請求項４に記載のゴルフクラブヘッド。
【請求項６】
急速連結ユニット（２１）の回動部（２１２）は容納隱蔵於ヘッド本体（１）の結合部（１２）に形成される凹部（１２１）の中に隠れるように収容されることを特徴とする請求項４に記載のゴルフクラブヘッド。
【請求項７】
結合部（１２）はヘッド本体（１）のソール部、トー部またはヒール部に設けられることを特徴とする請求項１に記載のゴルフクラブヘッド。
【請求項８】
一個の急速連結ユニット（２１）および一個の重量配分部材（２２）を有するゴルフクラブヘッドの重量配分ユニットにおいて、急速連結ユニット（２１）には一個の嵌接棒（２１１）が含まれ、嵌接棒（２１１）の一端には一個の回動部（２１２）が設けられ、かつもう一端には一個の係止部（２１３）が設けられ、重量配分部材（２２）は着脱自在に套合於急速連結ユニット（２１）の嵌接棒（２１１）に嵌合されることを特徴とするゴルフクラブヘッドの重量配分ユニット。
【請求項９】
重量配分部材（２２）は一個の通孔（２２１）を有する環状体からなり、重量配分部材（２２）には急速連結ユニット（２１）の嵌接棒（２１１）が貫通するための一個の凹欠部（２２２）が設けられることを特徴とする請求項８に記載のゴルフクラブヘッドの重量配分ユニット。
【請求項１０】
急速連結ユニット（２１）の嵌接棒（２１１）が径方向における断面は四辺形の形状で、嵌接棒（２１１）には径方向において二個の相対する短辺（２１１ａ）と二個の相対する長辺（２１１ｂ）が含まれ、凹欠部（２２２）には径方向において一個の開口距離（Ｄ）が含まれ、開口距離（Ｄ）は嵌接棒（２１１）の短辺（２１１ａ）の長さより大きくまたは同じになるように形成され、かつ開口距離（Ｄ）は嵌接棒（２１１）の長辺（２１１ｂ）の長さより小さくなるように形成されることを特徴とする請求項９に記載のゴルフクラブヘッドの重量配分ユニット。
【考案の詳細な説明】
【技術分野】
【０００１】
本考案は、ゴルフクラブヘッドとその重量配分ユニットに関するもので、特に重量配分ユニットの取り付けと取り外しを迅速に完成することができるゴルフクラブヘッドとその重量配分ユニットに係るものである。
【背景技術】
【０００２】
従来のゴルフクラブヘッドには通常一個のヘッド本体が含まれ、上記ヘッド本体の前端には一個のフェース板が設けられ、それによってゴルフクラブヘッドの基本的な打球効果を提供することができる。その中、ゴルフクラブヘッドの打球効果を高めるべく、上記ヘッド本体には他に一個の重量配分部材が設けられ、この重量配分部材によってゴルフクラブヘッドの重心を調整することにより、使用者の打球に対する要望に対応することができる。
【０００３】
また、従来のゴルフクラブヘッドとして、例えば中華民国公告番号第Ｉ２２４０１７号「ゴルフクラブヘッドの重量配分体の結合構造と結合方法」（特許文献１を参照）においては、一個のヘッド本体において一個の重量配分体を溶接することにより、重心を調整する目的を達成できるようにしたものがある。
【０００４】
また、従来のゴルフクラブヘッドとして、例えば図６に示すような、アメリカ特許番号ＵＳ７８４６０４１号「ゴルフクラブヘッドの重り」（特許文献２を参照）においては、着脱式のゴルフクラブヘッドの重量配分ユニット９が主に一個の重量配分部材９１、一個の重量配分ねじ棒９２および一個の重量配分キャップ９３によって構成される。重量配分部材９１には一個のねじ孔９１１が設けられる。重量配分ねじ棒９２はねじ孔９１１の中に設置され、重量配分キャップ９３が重量配分部材９１のねじ孔９１１の上端に螺合されることにより、重量配分ねじ棒９２をねじ孔９１１の中に位置決めすることができ、かつ重量配分ねじ棒９２の一端が重量配分部材９１のねじ孔９１１の底端から突き出るように形成されることにより、重量配分ユニット９は重量配分ねじ棒９２を利用してゴルフクラブヘッドのヘッド本体の予定される螺合部に螺合して結合することができるようにしたものがある。
【０００５】
この従来のゴルフクラブヘッドでは、任意に取り付けたり取り外したりすることができる重量配分ユニット９を提供することができるが、ゴルフクラブヘッドの重心を調整したい場合、例えば異なる密度、材質または構造の重りを取り換えたい時、重量配分ねじ棒９２を回してゴルフクラブヘッドのヘッド本体の予定される螺合部から重量配分ユニット９を取り外し、それからさらに重量配分部材９１のねじ孔９１１の中から重量配分キャップ９３を回して取り外すことにより、別の異なる密度、材質または構造を有する重量配分ねじ棒９２と重量配分キャップ９３を用意し、それから新たな重量配分ねじ棒９２と重量配分キャップ９３を重量配分部材９１に組み立て、さらに重量配分ユニット９をゴルフクラブヘッドのヘッド本体の予定される螺合部に螺合して結合することにより、ゴルフクラブヘッドの重心を調整する目的を達成できるものである。
【先行技術文献】
【特許文献】
【０００６】
【特許文献１】中華民国公告番号第Ｉ２２４０１７号
【特許文献２】アメリカ特許番号ＵＳ７８４６０４１号
【考案の概要】
【考案が解決しようとする課題】
【０００７】
上記のような従来のゴルフクラブヘッドにおいては、概して、次のような問題点を有している。
上記の中華民国公告番号第Ｉ２２４０１７号のような従来のゴルフクラブヘッドにおいては、ゴルフクラブヘッドの重量配分体を任意に取り外したり取り付けたりすることができないため、ゴルフクラブヘッドの重心を新たに調整することができないという問題点があった。
【０００８】
また、上記アメリカ特許番号ＵＳ７８４６０４１号のような従来のゴルフクラブヘッドにおいては、重量配分ユニット９は先ず重量配分キャップ９３を重量配分部材９１に螺合してから、はじめて重量配分ねじ棒９２を重量配分部材９１のねじ孔９１１の中に位置決めさせることができ、また、さらに進んで、重量配分ねじ棒９２とヘッド本体を相互に螺合してから、重量配分ユニット９をゴルフクラブヘッドに結合して固定するように確保することができる。そのため、重量配分ユニット９を取り外したり取り付けたりする過程において、全て数回にわたって取り外したり取り付けたりする手順を行なわなければならない。言い換えれば、ゴルフクラブヘッドに対して異なる密度、材質または構造の重りを取り換えなければならない時、重量配分部材９１、重量配分ねじ棒９２と重量配分キャップ９３のそれぞれの部材間での取り外しまたは取り付けの作業を重複して行わなければならず、極めて不便になるという問題点があった。
【０００９】
また、重量配分ユニット９の構造ではその部品の数が相当に多く、加えて、その構造が複雑で製造が難しくなるため、製造コストが高くなるという問題点があった。さらに、重量配分ユニット９の重量配分キャップ９３が重量配分部材９１に螺合して結合した後、螺合が不充分で緩みを生じ易いという問題点があった。そのため、上述した従来のゴルフクラブヘッドとその重量配分ユニットをさらに改良を必要とするものであった。
【００１０】
本考案はこのような問題点に鑑みて考案されたものであって、その第一の目的とするところは、数回の回動による着脱手順を行なうことなく、組み立てまたは取り外し作業を迅速に完成することができるゴルフクラブヘッドとその重量配分ユニットを提供することにある。
【００１１】
本考案の第二の目的とするところは、重量配分ユニットをさらに緊密にゴルフクラブヘッドの予定される部位に結合して固定することができるゴルフクラブヘッドとその重量配分ユニットを提供することにある。
【００１２】
本考案の第三の目的とするところは、二個の部材で重量配分ユニットを構成することにより、構造の複雑性を低く抑えるとともに、製造コストを抑えることができるゴルフクラブヘッドとその重量配分ユニットを提供することにある。
【課題を解決するための手段】
【００１３】
上記目的を達成するために、本考案によるゴルフクラブヘッドは、一個のヘッド本体および一個の重量配分ユニットを有する。ヘッド本体には一個のフェース板と一個の結合部が設けられる。重量配分ユニットには一個の急速連結ユニットと一個の重量配分部材が含まれ、急速連結ユニットには一個の嵌接棒が含まれる。嵌接棒の一端には一個の回動部が設けられ、かつもう一端には一個の係止部が設けられ、係止部によってヘッド本体の結合部に固定される。重量配分部材は着脱自在に急速連結ユニットの嵌接棒に嵌合される。
【００１４】
また、重量配分部材は一個の通孔を有する環状体からなり、重量配分部材には急速連結ユニットの嵌接棒が貫通するための一個の凹欠部を設けることもできる。また、急速連結ユニットの嵌接棒が径方向における断面は四辺形の形状で、嵌接棒には径方向において二個の相対する短辺と二個の相対する長辺が含まれ、凹欠部には径方向において一個の開口距離が含まれ、開口距離は嵌接棒の短辺の長さより大きくまたは同じになるように形成され、かつ開口距離は嵌接棒の長辺の長さより小さくなるように形成されてもよい。また、ヘッド本体の結合部は一個の凹部、凹部の中に一個のねじ孔が設けられ、重量配分ユニットの係止部は結合部のねじ棒に螺合して固定されることもできる。また、重量配分部材は一個の円錐体からなり、重量配分部材の外周壁には一個の円錐状外周面が形成され、ヘッド本体の結合部に形成される凹部には一個の円錐状内周面が形成され、重量配分部材の円錐状外周面は結合部の円錐状内周面に緊密に貼接されることもできる。また、急速連結ユニットの回動部は容納隱蔵於ヘッド本体の結合部に形成される凹部の中に隠れるように収容されることもできる。また、結合部はヘッド本体のソール部、トー部またはヒール部に設けられることもできる。
【００１５】
また、本考案によるゴルフクラブヘッドの重量配分ユニットは、一個の急速連結ユニットおよび一個の重量配分部材を有する。急速連結ユニットには一個の嵌接棒が含まれる。嵌接棒の一端には一個の回動部が設けられ、かつもう一端には一個の係止部が設けられる。重量配分部材は着脱自在に套合於急速連結ユニットの嵌接棒に嵌合される。
【００１６】
さらに、重量配分部材は一個の通孔を有する環状体からなり、重量配分部材には急速連結ユニットの嵌接棒が貫通するための一個の凹欠部が設けられることもできる。また、急速連結ユニットの嵌接棒が径方向における断面は四辺形の形状で、嵌接棒には径方向において二個の相対する短辺と二個の相対する長辺が含まれ、凹欠部には径方向において一個の開口距離が含まれ、開口距離は嵌接棒の短辺の長さより大きくまたは同じになるように形成され、かつ開口距離は嵌接棒の長辺の長さより小さくなるように形成されることもできる。
【考案の効果】
【００１７】
本考案のゴルフクラブヘッドとその重量配分ユニットによれば、着脱のための手順を複数回回動させて行なうことなく、直ちに組み立てまたは取り外し作業を迅速に完成することができるという利点がある。
【００１８】
本考案のゴルフクラブヘッドとその重量配分ユニットによれば、重量配分ユニットはさらに緊密にゴルフクラブヘッドの予定される部位に結合して固定することができるという利点がある。
【００１９】
本考案のゴルフクラブヘッドとその重量配分ユニットによれば、二個の部材で重量配分ユニットを構成することにより、構造の複雑性を低く抑えるとともに、製造コストを抑えることができるという利点がある。
【図面の簡単な説明】
【００２０】
【図１】図１は、本考案のゴルフクラブヘッドの分解斜視図である。
【図２】図２は、本考案のゴルフクラブヘッドの重量配分ユニットの分解斜視図である。
【図３】図３は、本考案のゴルフクラブヘッドの組み立てられた状態の断面図である。
【図４】図４は、本考案のゴルフクラブヘッドの重量配分ユニットの図３のＡ−Ａ線に沿った組み立てられる前の断面図である。
【図５】図５は、本考案のゴルフクラブヘッドの重量配分ユニットの図３のＡ−Ａ線に沿った組み立てられた後の断面図である。
【図６】図６は、従来のゴルフクラブヘッドの重量配分ユニットの分解斜視図である。
【考案を実施するための形態】
【００２１】
本考案による実施形態について、以下、図面を参照して説明する。
【００２２】
図１は本考案のゴルフクラブヘッドの分解斜視図である。図１を参照すると、本考案のゴルフクラブヘッドには少なくとも一個のヘッド本体１および一個の重量配分ユニット２が含まれる。ヘッド本体１は選択的にウッド型、アイアン型またはパター型のゴルフクラブヘッドからなり、かつヘッド本体１は、例えば鋳造、鍛造またはその他の機械加工方法を利用して製造することができる。本考案の実施形態ではウッド型のゴルフクラブヘッドを例に挙げて説明を行なう。重量配分ユニット２はヘッド本体１に結合され、重量配分ユニット２によってゴルフクラブヘッドの重心を調整することができる。
【００２３】
図２は本考案のゴルフクラブヘッドの重量配分ユニットの分解斜視図で、図３は本考案のゴルフクラブヘッドの組み立てられた状態の断面図である。図１、２、３を参照すると、ヘッド本体１は例えばトー部（toe）、ヒール部（heel）、クラウン部（crown）、ソール部（sole）、スカート部（skirt）、ホーゼル部（hosel）などのゴルフクラブヘッドの基本構造を有し、その詳細な構造や空間形態はその技術分野に属して通常の知識を有するものには容易に理解できるものであるため、ここではその説明を割愛する。本実施形態において、ヘッド本体１には一個のフェース板１１と一個の結合部１２が設けられる。フェース板１１はヘッド本体１の前端（すなわち打球方向の一端）に設置される。結合部１２は重量配分ユニット２が結合するための各種の構造の設計からなり、好ましくは、ヘッド本体１のソール部、トー部、ヒール部またはその他の適当な部位に設置される。本実施形態において、結合部１２はヘッド本体１のトー部に一個の凹部１２１が形成され、凹部１２１の中に一個のねじ孔１２２が設けられる。ねじ孔１２２は重量配分ユニット２を迅速に結合部１２に螺合して結合させるのに用いられ、それにより、組み立ての利便性を高めることができる。
【００２４】
再び図２、３を参照すると、重量配分ユニット２には一個の急速連結ユニット２１と一個の重量配分部材２２が含まれる。急速連結ユニット２１には一個の嵌接棒２１１が含まれ、嵌接棒２１１の一端には一個の回動部２１２が設けられ、かつもう一端には一個の係止部２１３が設けられる。回動部２１２は急速連結ユニット２１が回動する方式でヘッド本体の結合部１２との結合を制御することができる各種の構造の設計からなり、例えば、回動部２１２は多角形の形状を有するめくら穴からなり、ねじ回しなどの工具を差し込んでから、回動させることによって急速連結ユニット２１の固定を完成することができる。係止部２１３は急速連結ユニット２１が回動された後にヘッド本体１の結合部１２に螺入して固定することができる各種の構造の設計からなる。本実施形態において、係止部２１３はねじからなり、ねじは急速連結ユニット２１が回動された後に結合部１２のねじ孔１２２に螺合して固定することができる。また、結合部１２に凹部１２１が形成される時、急速連結ユニット２１とヘッド本体１の結合部１２が結合した後、回動部２１２はさらに隠れるように凹部１２１に収容される。これにより、回動部２１２がヘッド本体１の表面から突き出るのを防止することができるため、本考案のゴルフクラブヘッドの打球の効果と外観の完成度に影響を及ぼすのを避けることができる。
【００２５】
図４は本考案のゴルフクラブヘッドの重量配分ユニットの図３のＡ−Ａ線に沿った組み立てられる前の断面図である。図２、４を参照すると、重量配分ユニット２の重量配分部材２２は着脱自在に急速連結ユニット２１の嵌接棒２１１に嵌合することができる。この重量配分部材２２と急速連結ユニット２１の嵌合の方式については特に制限されるものではない。本実施形態において、急速連結ユニット２１の嵌接棒２１１が径方向における断面は四辺形の形状、好ましくは矩形の形状からなり、この場合、嵌接棒２１１には径方向において二個の相対する短辺２１１ａと二個の相対する長辺２１２ｂが形成される。重量配分部材２２には軸方向に貫穿する一個の通孔２２１が形成される。重量配分部材２２は一個の環状体からなり、かつ重量配分部材２２にはさらに一個の凹欠部２２２が設けられる。凹欠部２２２は重量配分部材２２の外周壁から通孔２２１まで貫穿するように形成される。凹欠部２２２は径方向において一個の開口距離Ｄが含まれ、開口距離Ｄは嵌接棒２１１の短辺２１１ａの長さより大きくまたは同じになるように形成され、かつ開口距離Ｄは嵌接棒２１１の長辺２１１ｂの長さより小さくなるように形成される。
【００２６】
図５は本考案のゴルフクラブヘッドの重量配分ユニットの図３のＡ−Ａ線に沿った組み立てられた後の断面図である。図４、５を参照すると、重量配分部材２２を急速連結ユニット２１に嵌合して位置決めしようとする時、先ず重量配分部材２２の凹欠部２２２を嵌接棒２１１の短辺２１１ａと位置合わせた後、重量配分部材２２を急速連結ユニット２１の嵌接棒２１１に嵌設させることにより、嵌接棒２１１は重量配分部材２２の通孔２２１に位置するように形成される。この時、図５に示すように、さらに急速連結ユニット２１を回動することにより、重量配分部材２２の凹欠部２２２と嵌接棒２１１の長辺２１２ｂが相対するように形成され、かつ嵌接棒２１１の長辺２１２ｂがさらに重量配分部材２２の通孔２２１に緊密に結合されることにより、重量配分部材２２は急速連結ユニット２１から脱落するのを避けることができる。
【００２７】
再び図２、３を参照すると、上述した重量配分部材２２の形態は、好ましくは一個の円錐体からなり、重量配分部材２２の外周壁には一個の円錐状外周面２２３が形成される。また、ヘッド本体１の結合部１２に形成される凹部１２１には一個の円錐状内周面１２３が形成される。これにより、図３に示すように、急速連結ユニット２１の係止部２１３が結合部１２のねじ孔１２２に螺合して固定される過程において、重量配分部材２２の円錐状外周面２２３と結合部１２の円錐状内周面１２３の間は全面的に摩擦的な貼接が形成される。すなわち、急速連結ユニット２１の係止部２１３と結合部１２のねじ孔１２２が緊密に螺合すればするほど、急速連結ユニット２１と結合部１２との間は相対的にさらに緊密に固定するように形成され、かつ脱落することなく、結合の安定性を高めることができる。
【００２８】
本考案のゴルフクラブヘッドとその重量配分ユニットの構造の設計によれば、次のような多くの効果を達成することができる。
本考案のゴルフクラブヘッドとその重量配分ユニットの急速連結ユニット２１の嵌接棒２１１はねじ山を有しない設計であり、その中に重量配分部材２２は嵌合の方式で急速連結ユニット２１の嵌接棒２１１と着脱の作業を行なうため、本考案のゴルフクラブヘッドに対して異なる密度、材質または構造の重量配分部材２２を取り換えなければならない場合、迅速に重量配分部材２２を取り換えることができ、かつ、重量配分部材２２と急速連結ユニット２１が互いに嵌合された後、直ちに重量配分ユニット２をゴルフクラブヘッドのヘッド本体１の結合部１２に螺合して固定することができる。そのため、本考案のゴルフクラブヘッドによれば、従来のような複数回の回動による着脱の手順を行なうことなく、直ちに組み立てまたは取り外しの作業を迅速に完成することができるため、組み立ての利便性を高めることができる。
【００２９】
本考案のゴルフクラブヘッドとその重量配分ユニットによれば、急速連結ユニット２１と重量配分部材２２の二個の部材の設計で共同で重量配分ユニット２を構成することにより、効果的に構造の複雑性を低く抑えるとともに、製造コストを抑えることができる。
【００３０】
本考案のゴルフクラブヘッドとその重量配分ユニットによれば、急速連結ユニット２１が結合部１２に螺合して固定された後、重量配分部材２２と結合部１２の間は緊密に貼接されるため、結合の安定性を高めることができる。
【００３１】
本考案は、その精神と必須の特徴事項から逸脱することなく他のやり方で実施することができる。従って、本明細書に記載した好ましい実施形態は例示のなものであり、限定を意図するものではない。
【符号の説明】
【００３２】
１    ヘッド本体
１１    フェース板
１２    結合部
１２１    凹部
１２２    ねじ孔
１２３    円錐状内周面
２    重量配分ユニット
２１    急速連結ユニット
２１１    嵌接棒
２１１ａ    短辺
２１１ｂ    長辺
２１２    回動部
２１３    係止部
２２    重量配分部材
２２１    通孔
２２２    凹欠部
２２３    円錐状外周面
９    重量配分ユニット
９１    重量配分部材
９１１    ねじ孔
９２    重量配分ねじ棒
９３    重量配分キャップ
Ｄ    開口距離
【図１】
0003175185.tif 000003
【図２】
0003175185.tif 000004
【図３】
0003175185.tif 000005
【図４】
0003175185.tif 000006
【図５】
0003175185.tif 000007
【図６】
0003175185.tif 000008
【手続補正書】
【提出日】平成24年2月17日(2012.2.17)
【手続補正１】
【補正対象書類名】実用新案登録請求の範囲
【補正対象項目名】全文
【補正方法】変更
【補正の内容】
【実用新案登録請求の範囲】
【請求項１】
一個のヘッド本体（１）および一個の重量配分ユニット（２）を有するゴルフクラブヘッドにおいて、ヘッド本体（１）には一個のフェース板（１１）と一個の結合部（１２）が設けられ、重量配分ユニット（２）には一個の急速連結ユニット（２１）と一個の重量配分部材（２２）が含まれ、急速連結ユニット（２１）には一個の嵌接棒（２１１）が含まれ、嵌接棒（２１１）はその一端に一個の回動部（２１２）が設けられ、かつもう一端には一個の係止部（２１３）が設けられ、係止部（２１３）によってヘッド本体（１）の結合部（１２）に固定され、重量配分部材（２２）は着脱自在に急速連結ユニット（２１）の嵌接棒（２１１）に嵌合されることを特徴とするゴルフクラブヘッド。
【請求項２】
重量配分部材（２２）は一個の通孔（２２１）を有する環状体からなり、重量配分部材（２２）には急速連結ユニット（２１）の嵌接棒（２１１）が貫通するための一個の凹欠部（２２２）が設けられることを特徴とする請求項１に記載のゴルフクラブヘッド。
【請求項３】
急速連結ユニット（２１）の嵌接棒（２１１）が径方向における断面は四辺形の形状で、嵌接棒（２１１）には径方向において二個の相対する短辺（２１１ａ）と二個の相対する長辺（２１１ｂ）が含まれ、凹欠部（２２２）には径方向において一個の開口距離（Ｄ）が含まれ、開口距離（Ｄ）は嵌接棒（２１１）の短辺（２１１ａ）の長さより大きくまたは同じになるように形成され、かつ開口距離（Ｄ）は嵌接棒（２１１）の長辺（２１１ｂ）の長さより小さくなるように形成されることを特徴とする請求項２に記載のゴルフクラブヘッド。
【請求項４】
ヘッド本体（１）の結合部（１２）は一個の凹部（１２１）、凹部（１２１）の中に一個のねじ孔（１２２）が設けられ、重量配分ユニット（２）の係止部（２１３）は結合部（１２）のねじ棒に螺合して固定されることを特徴とする請求項１に記載のゴルフクラブヘッド。
【請求項５】
重量配分部材（２２）は一個の円錐体からなり、重量配分部材（２２）の外周壁には一個の円錐状外周面（２２３）が形成され、ヘッド本体（１）の結合部（１２）に形成される凹部（１２１）には一個の円錐状内周面（１２３）が形成され、重量配分部材（２２）の円錐状外周面（２２３）は結合部（１２）の円錐状内周面（１２３）に緊密に貼接されることを特徴とする請求項４に記載のゴルフクラブヘッド。
【請求項６】
急速連結ユニット（２１）の回動部（２１２）はヘッド本体（１）の結合部（１２）に形成される凹部（１２１）の中に隠れるように収容されることを特徴とする請求項４に記載のゴルフクラブヘッド。
【請求項７】
結合部（１２）はヘッド本体（１）のソール部、トー部またはヒール部に設けられることを特徴とする請求項１に記載のゴルフクラブヘッド。
【請求項８】
一個の急速連結ユニット（２１）および一個の重量配分部材（２２）を有するゴルフクラブヘッドの重量配分ユニットにおいて、急速連結ユニット（２１）には一個の嵌接棒（２１１）が含まれ、嵌接棒（２１１）の一端には一個の回動部（２１２）が設けられ、かつもう一端には一個の係止部（２１３）が設けられ、重量配分部材（２２）は着脱自在に急速連結ユニット（２１）の嵌接棒（２１１）に嵌合されることを特徴とするゴルフクラブヘッドの重量配分ユニット。
【請求項９】
重量配分部材（２２）は一個の通孔（２２１）を有する環状体からなり、重量配分部材（２２）には急速連結ユニット（２１）の嵌接棒（２１１）が貫通するための一個の凹欠部（２２２）が設けられることを特徴とする請求項８に記載のゴルフクラブヘッドの重量配分ユニット。
【請求項１０】
急速連結ユニット（２１）の嵌接棒（２１１）が径方向における断面は四辺形の形状で、嵌接棒（２１１）には径方向において二個の相対する短辺（２１１ａ）と二個の相対する長辺（２１１ｂ）が含まれ、凹欠部（２２２）には径方向において一個の開口距離（Ｄ）が含まれ、開口距離（Ｄ）は嵌接棒（２１１）の短辺（２１１ａ）の長さより大きくまたは同じになるように形成され、かつ開口距離（Ｄ）は嵌接棒（２１１）の長辺（２１１ｂ）の長さより小さくなるように形成されることを特徴とする請求項９に記載のゴルフクラブヘッドの重量配分ユニット。
【手続補正２】
【補正対象書類名】明細書
【補正対象項目名】００１４
【補正方法】変更
【補正の内容】
【００１４】
また、重量配分部材は一個の通孔を有する環状体からなり、重量配分部材には急速連結ユニットの嵌接棒が貫通するための一個の凹欠部を設けることもできる。また、急速連結ユニットの嵌接棒が径方向における断面は四辺形の形状で、嵌接棒には径方向において二個の相対する短辺と二個の相対する長辺が含まれ、凹欠部には径方向において一個の開口距離が含まれ、開口距離は嵌接棒の短辺の長さより大きくまたは同じになるように形成され、かつ開口距離は嵌接棒の長辺の長さより小さくなるように形成されてもよい。また、ヘッド本体の結合部は一個の凹部、凹部の中に一個のねじ孔が設けられ、重量配分ユニットの係止部は結合部のねじ棒に螺合して固定されることもできる。また、重量配分部材は一個の円錐体からなり、重量配分部材の外周壁には一個の円錐状外周面が形成され、ヘッド本体の結合部に形成される凹部には一個の円錐状内周面が形成され、重量配分部材の円錐状外周面は結合部の円錐状内周面に緊密に貼接されることもできる。また、急速連結ユニットの回動部はヘッド本体の結合部に形成される凹部の中に隠れるように収容されることもできる。また、結合部はヘッド本体のソール部、トー部またはヒール部に設けられることもできる。
【手続補正３】
【補正対象書類名】明細書
【補正対象項目名】００１５
【補正方法】変更
【補正の内容】
【００１５】
また、本考案によるゴルフクラブヘッドの重量配分ユニットは、一個の急速連結ユニットおよび一個の重量配分部材を有する。急速連結ユニットには一個の嵌接棒が含まれる。嵌接棒の一端には一個の回動部が設けられ、かつもう一端には一個の係止部が設けられる。重量配分部材は着脱自在に急速連結ユニットの嵌接棒に嵌合される。